【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
ターゲット変圧器の診断を実行するための診断装置によって実施される方法であって、
ａ）前記診断装置のプロセッサによって、前記診断装置の電圧発生器の電圧出力を前記ターゲット変圧器の巻線又は位相に結合するよう前記診断装置のスイッチ回路を制御する段階と、
ｂ）前記プロセッサによって、第１周波数でＡＣ電圧を出力するよう前記電圧発生器を制御する段階と、
ｃ）前記プロセッサによって、前記第１周波数に関連する前記ターゲット変圧器内に流入する、誘導分及び容量分を有する第１励磁電流の振幅を測定する段階と、
ｄ）前記プロセッサによって、第２周波数でＡＣ電圧を出力するよう前記電圧発生器を制御する段階と、
ｅ）前記プロセッサによって、前記第２周波数に関連する前記ターゲット変圧器内に流入する、誘導分及び容量分を有する第２励磁電流の振幅を測定する段階と、
ｆ）前記プロセッサによって、前記第１励磁電流の振幅及び前記第２励磁電流の振幅の両方に応じて、前記ターゲット変圧器のインダクタンスに関連する励磁電流の振幅を決定する段階と、
ｇ）前記プロセッサによって、前記ターゲット変圧器のインダクタンスに関連する前記決定された振幅の励磁電流を、既知の電気特性を有する１又は２以上のベンチマーク変圧器に関連する励磁電流と比較する段階と、
前記ターゲット変圧器のインダクタンスに関連する前記振幅の励磁電流が、前記ベンチマーク変圧器のうちの１つのベンチマーク変圧器の励磁電流に一致するときには、前記ターゲット変圧器の電気特性が前記１つのベンチマーク変圧器の電気特性に一致すると決定する段階と、
を含み、
前記既知の電気特性を有する前記１又は２以上のベンチマーク変圧器に対する前記ターゲット変圧器のインダクタンスに関連する前記振幅の励磁電流の比較により、前記ターゲット変圧器に欠陥があるかどうかの決定が可能となる、
ことを特徴とする方法。
【請求項２】
前記ターゲット変圧器は、異なる前記位相に関連する複数の巻線を含む三相変圧器であり、前記方法は、前記ターゲット変圧器の各位相に関して段階（ａ）−（ｇ）を実行する段階を更に含む、
ことを特徴とする請求項１に記載の方法。
【請求項３】
前記ターゲット変圧器は、負荷時タップ切換装置（ＬＴＣ）又は非通電タップ切換装置（ＤＥＴＣ）を含み、前記ＬＴＣ又はＤＥＴＣの各位置に対して、前記方法は、前記ＬＴＣ又はＤＥＴＣ位置の各々に対して段階（ａ）−（ｇ）を実行する段階を更に含む、
ことを特徴とする請求項２に記載の方法。
【請求項４】
前記ターゲット変圧器上の第１ＬＴＣ又はＤＥＴＣ位置を選択する段階と、
各位相の前記電流成分のそれぞれの振幅を決定する段階と、
前記それぞれの電流振幅と、既知の条件のベンチマーク変圧器の対応するＬＴＣ又はＤＥＴＣ位置に関連する対応する電流振幅と比較する段階と、を更に含み
前記ターゲット変圧器に関連する前記それぞれの振幅と前記ベンチマーク変圧器に関連する前記対応する振幅との間の差分が閾値を下回る場合、前記方法は、前記ターゲット変圧器上の第２ＬＴＣ又はＤＥＴＣを選択する段階と、（ａ）−（ｆ）の前記段階を繰り返す段階と、を更に含み、
下回らない場合には、前記方法は、前記ターゲット変圧器の条件が前記ベンチマーク変圧器の前記条件に一致しないと決定する段階を含む、
ことを特徴とする請求項３に記載の方法。
【請求項５】
前記電圧発生器によって生成される前記ＡＣ電圧は、１２，０００ボルトか又はそれ以下である、
ことを特徴とする請求項１に記載の方法。
【請求項６】
前記第１及び第２周波数は、前記ターゲット変圧器の正常動作周波数の約±５％に対応する、
ことを特徴とする請求項１に記載の方法。
【請求項７】
前記ベンチマーク変圧器は、正常に機能する変圧器及び１又は２以上の不具合を示す変圧器を含む、
ことを特徴とする請求項１に記載の方法。
【請求項８】
前記１又は２以上のベンチマーク変圧器に関連する電流成分測定値が、データベース内に格納される、
ことを特徴とする請求項１に記載の方法。
【請求項９】
ターゲット変圧器の診断を実行するためのシステムであって、
第１周波数及び第２周波数でＡＣ電圧を生成する電圧発生器と、
前記ターゲット変圧器の複数の巻線又は位相のうちの１つに前記ＡＣ電圧を選択的に印加するように構成されたスイッチセクションと、
前記ターゲット変圧器の選択された巻線又は位相を通って流れる電流を検知するように構成された電流センサと、
前記電圧発生器、前記スイッチセクション、及び前記電流センサと通信するプロセッサと、
前記プロセッサと通信し、前記プロセッサによって実行されたときに、前記プロセッサに動作を実行させる命令コードを格納する非一時的コンピュータ可読媒体と、
を備え、
前記動作が、
ａ）前記電圧発生器の電圧出力を前記ターゲット変圧器の巻線又は位相に結合するようスイッチ回路を制御する段階と、
ｂ）第１周波数でＡＣ電圧を出力するよう前記電圧発生器を制御する段階と、
ｃ）前記電流センサを介して、前記第１周波数に関連する前記ターゲット変圧器内に流入する、誘導分及び容量分を有する第１励磁電流の振幅を測定する段階と、
ｄ）第２周波数でＡＣ電圧を出力するよう前記電圧発生器を制御する段階と、
ｅ）前記電流センサを介して、前記第２周波数に関連する前記ターゲット変圧器内に流入する、誘導分及び容量分を有する第２励磁電流の振幅を測定する段階と、
ｆ）前記第１励磁電流及び前記第２励磁電流の両方に応じて、前記ターゲット変圧器の実際の励磁電流を決定する段階と、
ｇ）前記ターゲット変圧器のインダクタンスに関連する前記決定された振幅の励磁電流を、既知の電気特性を有する１又は２以上のベンチマーク変圧器に関連する励磁電流と比較する段階と、
前記ターゲット変圧器のインダクタンスに関連する前記振幅の励磁電流が、前記ベンチマーク変圧器のうちの１つのベンチマーク変圧器の励磁電流に一致するときには、前記ターゲット変圧器の電気特性が前記１つのベンチマーク変圧器の電気特性に一致すると決定する段階と、
を含み、
前記既知の電気特性を有する前記１又は２以上のベンチマーク変圧器に対する前記ターゲット変圧器のインダクタンスに関連する前記振幅の励磁電流の比較により、前記ターゲット変圧器に欠陥があるかどうかの決定が可能となる、
ことを特徴とするシステム。
【請求項１０】
前記ターゲット変圧器は、前記異なる位相に関連する複数の巻線を含む三相変圧器であり、前記命令コードは、前記ターゲット変圧器の各位相に対して、前記プロセッサに段階（ａ）−（ｇ）を実行させる、
ことを特徴とする請求項９に記載のシステム。
【請求項１１】
前記ターゲット変圧器は、負荷時タップ切換装置（ＬＴＣ）又は非通電タップ切換装置（ＤＥＴＣ）を含み、前記命令コードは、前記ＬＴＣ又はＤＥＴＣ位置の各々に対して、前記プロセッサに段階（ａ）−（ｇ）を実行させる、
ことを特徴とする請求項１０に記載のシステム。
【請求項１２】
前記プロセッサに対して、
前記ターゲット変圧器上の第１ＬＴＣ又はＤＥＴＣ位置を選択させ、
各位相の前記電流成分のそれぞれの振幅を決定させ、
前記それぞれの電流振幅と、既知の条件のベンチマーク変圧器の対応するＬＴＣ又はＤＥＴＣ位置に関連する対応する電流振幅と比較させ、
前記ターゲット変圧器に関連する前記それぞれの電流振幅と前記ベンチマーク変圧器に関連する前記対応する電流振幅との間の差分が閾値を下回る場合、段階（ａ）−（ｆ）を繰り返させ、
下回らない場合には、前記ターゲット変圧器の条件が前記ベンチマーク変圧器の前記条件に一致しないと決定させる、
命令コードを更に含む
ことを特徴とする請求項１１に記載のシステム。
【請求項１３】
前記電圧発生器によって生成される前記ＡＣ電圧は、１２，０００ボルトか又はそれ以下である、
ことを特徴とする請求項９に記載のシステム。
【請求項１４】
前記第１及び第２周波数は、前記ターゲット変圧器の正常動作周波数の約±５％に対応する、
ことを特徴とする請求項９に記載のシステム。
【請求項１５】
前記ベンチマーク変圧器は、正常に機能する変圧器及び１又は２以上の不具合を示す変圧器を含む、
ことを特徴とする請求項９に記載のシステム。
【請求項１６】
前記１又は２以上のベンチマーク変圧器に関連する電流成分測定値が、データベース内に格納される、
ことを特徴とする請求項９に記載のシステム。
【請求項１７】
ターゲット変圧器の診断を実行するための少なくとも１つのコードセクションを含むコンピュータプログラムを格納させた非一時的マシン可読ストレージ媒体であって、前記少なくとも１つのコードセクションが、マシンによって実行可能であり、
ａ）電圧発生器の電圧出力を前記ターゲット変圧器の巻線又は位相に印加するようスイッチ回路を制御する段階と、
ｂ）第１周波数でＡＣ電圧を出力するよう前記電圧発生器を制御する段階と、
ｃ）電流センサを介して、前記第１周波数に関連する前記ターゲット変圧器内に流入する、誘導分及び容量分を有する第１励磁電流の振幅を測定する段階と、
ｄ）第２周波数でＡＣ電圧を出力するよう前記電圧発生器を制御する段階と、
ｅ）前記電流センサを介して、前記第２周波数に関連する前記ターゲット変圧器内に流入する、誘導分及び容量分を有する第２励磁電流の振幅を測定する段階と、
ｆ）前記第１励磁電流の振幅及び前記第２励磁電流の振幅の両方に応じて、前記ターゲット変圧器のインダクタンスに関連する励磁電流の振幅を決定する段階と、
ｇ）前記ターゲット変圧器のインダクタンスに関連する前記決定された振幅の励磁電流を、既知の電気特性を有する１又は２以上のベンチマーク変圧器に関連する励磁電流と比較する段階と、
前記ターゲット変圧器のインダクタンスに関連する前記決定された振幅の励磁電流が、前記ベンチマーク変圧器のうちの１つのベンチマーク変圧器の励磁電流に一致するときには、前記ターゲット変圧器の電気特性が前記１つのベンチマーク変圧器の電気特性に一致すると決定する段階と、
を含み、前記既知の電気特性を有する前記１又は２以上のベンチマーク変圧器に対する前記ターゲット変圧器のインダクタンスに関連する前記振幅の励磁電流の比較により、前記ターゲット変圧器に欠陥があるかどうかの決定が可能となる動作を前記マシンに実行させる非一時的マシン可読ストレージ媒体。
【請求項１８】
前記電圧発生器によって生成される前記ＡＣ電圧は、１２，０００ボルトか又はそれ以下である、
ことを特徴とする請求項１７に記載の非一時的マシン可読ストレージ媒体。
【請求項１９】
前記第１及び第２周波数は、前記ターゲット変圧器の正常動作周波数の約±５％に対応する、
ことを特徴とする請求項１７に記載の非一時的マシン可読ストレージ媒体。
【請求項２０】
前記ベンチマーク変圧器は、正常に機能する変圧器及び１又は２以上の不具合を示す変圧器を含む、
ことを特徴とする請求項１７に記載の非一時的マシン可読ストレージ媒体。
【請求項２１】
複数の位相を含むターゲット変圧器の診断を実行するための診断装置によって実施される方法であって、
前記方法が、前記診断装置のプロセッサによって、前記ターゲット変圧器の前記複数の位相の各々に電源を結合するようスイッチ回路を制御する段階を含み、前記位相の各々において、前記プロセッサが、
第１周波数で電圧を出力するよう前記電源を制御する段階と、
前記第１周波数に関連する前記ターゲット変圧器内に流入する、誘導分及び容量分を有する第１励磁電流の振幅及び位相角を測定する段階と、
第２周波数で電圧を出力するよう前記電源を制御する段階と、
前記第２周波数に関連する前記ターゲット変圧器内に流入する、誘導分及び容量分を有する第２励磁電流の振幅及び位相角を測定する段階と、
前記第１周波数及び前記第２周波数の励磁電流に応じて、前記ターゲット変圧器の正常動作周波数での前記ターゲット変圧器の誘導分の振幅及び容量分の振幅を決定し、これにより前記ターゲット変圧器の励磁電流の誘導分及び容量分の振幅パターンを決定する段階と、
前記プロセッサによって、前記ターゲット変圧器の前記決定されたパターンを、既知の電気特性を有する１又は２以上のベンチマーク変圧器に関連するパターンと比較する段階と、
前記ターゲット変圧器に関連する前記パターンが、前記ベンチマーク変圧器のうちの１つのベンチマーク変圧器のパターンに一致するときには、前記ターゲット変圧器の電気特性が前記１つのベンチマーク変圧器の電気特性に一致すると決定する段階と、
を含み、前記既知の電気特性を有する前記１又は２以上のベンチマーク変圧器のパターンに対する前記ターゲット変圧器のパターンの比較により、前記ターゲット変圧器に欠陥があるかどうかの決定が可能となる、動作を実行する、
ことを特徴とする方法。
【請求項２２】
前記ターゲット変圧器が三相変圧器である、請求項２１に記載の方法。
【請求項２３】
前記ターゲット変圧器は、負荷時タップ切換装置（ＬＴＣ）又は非通電タップ切換装置（ＤＥＴＣ）を含み、前記ターゲット変圧器の正常動作周波数での前記励磁電流の誘導分及び容量分の振幅パターンが、前記ＬＴＣ又はＤＥＴＣ位置の各々に対して決定される、請求項２１に記載の方法。
【請求項２４】
前記電圧が、１２，０００ボルトか又はそれ以下である、
ことを特徴とする請求項２１に記載の方法。
【請求項２５】
前記第１及び第２周波数は、前記ターゲット変圧器の正常動作周波数の約±２０％、±１０％、又は±５％に対応する、
ことを特徴とする請求項１に記載の方法。
【請求項２６】
前記１又は２以上のベンチマーク変圧器は、正常に機能する変圧器及び１又は２以上の不具合を示す変圧器を含む、
ことを特徴とする請求項２１に記載の方法。
【請求項２７】
前記１又は２以上のベンチマーク変圧器に関連する前記ターゲット変圧器の正常動作周波数での前記励磁電流の誘導分及び容量分が、データベース内に格納される、
ことを特徴とする請求項２１に記載の方法。
【請求項２８】
前記正常動作周波数は、居住用又は商業用ユーザに電力を送給する高電圧変圧器の正常動作周波数に対応する、
ことを特徴とする請求項２１に記載の方法。
【請求項２９】
複数の位相を含むターゲット変圧器の診断を実行するためのシステムであって、
電源から電圧を受け取る入力と、
前記ターゲット変圧器の複数の位相の各々に前記電圧を選択的に印加するように構成されたスイッチセクションと、
前記ターゲット変圧器の選択された位相を通って流れる電流を検知するように構成された電流センサと、
前記電源、前記スイッチセクション、及び前記電流センサと通信するプロセッサと、
前記プロセッサと通信し、前記プロセッサによって実行されたときに、前記プロセッサに動作を実行させる命令コードを格納する非一時的コンピュータ可読媒体と、
を備え、
前記動作が、
前記受け取った電圧を前記ターゲット変圧器の各位相に印加するようスイッチ回路を制御する段階と、
前記位相の各々において、
第１周波数で電圧を出力するよう前記電源を制御する段階と、
前記電流センサを介して、前記第１周波数に関連する前記ターゲット変圧器内に流入する、誘導分及び容量分を有する第１励磁電流の振幅及び位相角を測定する段階と、
第２周波数で電圧を出力するよう前記電源を制御する段階と、
前記電流センサを介して、前記第２周波数に関連する前記ターゲット変圧器内に流入する、誘導分及び容量分を有する第２励磁電流の振幅及び位相角を測定する段階と、
前記第１周波数及び前記第２周波数の励磁電流に応じて、前記ターゲット変圧器の正常動作周波数での前記ターゲット変圧器の誘導分の振幅及び容量分の振幅を決定し、これにより前記ターゲット変圧器の励磁電流の誘導分及び容量分の振幅パターンを決定する段階と、
前記ターゲット変圧器の前記決定されたパターンを、既知の電気特性を有する１又は２以上のベンチマーク変圧器に関連するパターンと比較する段階と、
前記ターゲット変圧器に関連する前記パターンが、前記ベンチマーク変圧器のうちの１つのベンチマーク変圧器のパターンに一致するときには、前記ターゲット変圧器の電気特性が前記１つのベンチマーク変圧器の電気特性に一致すると決定する段階と、
を含み、前記既知の電気特性を有する前記１又は２以上のベンチマーク変圧器のパターンに対する前記ターゲット変圧器のパターンの比較により、前記ターゲット変圧器に欠陥があるかどうかの決定が可能となる、
ことを含む、
ことを特徴とするシステム。
【請求項３０】
前記ターゲット変圧器が三相変圧器である、請求項２９に記載のシステム。
【請求項３１】
前記ターゲット変圧器は、負荷時タップ切換装置（ＬＴＣ）又は非通電タップ切換装置（ＤＥＴＣ）を含み、前記命令コードは、前記ＬＴＣ又はＤＥＴＣ位置の各々に対して、前記ターゲット変圧器の正常動作周波数での前記励磁電流の誘導分及び容量分の振幅パターンを前記プロセッサに決定させる、請求項２９に記載のシステム。
【請求項３２】
前記電圧が、１２，０００ボルトか又はそれ以下である、
ことを特徴とする請求項２９に記載のシステム。
【請求項３３】
前記第１及び第２周波数は、前記ターゲット変圧器の正常動作周波数の約±２０％、±１０％、又は±５％に対応する、
ことを特徴とする請求項２９に記載のシステム。
【請求項３４】
前記１又は２以上のベンチマーク変圧器は、正常に機能する変圧器及び１又は２以上の不具合を示す変圧器を含む、
ことを特徴とする請求項２９に記載のシステム。
【請求項３５】
前記１又は２以上のベンチマーク変圧器に関連する前記ターゲット変圧器の正常動作周波数での前記励磁電流の誘導分及び容量分が、データベース内に格納される、
ことを特徴とする請求項２９に記載のシステム。
【請求項３６】
前記正常動作周波数は、居住用又は商業用ユーザに電力を送給する高電圧変圧器の正常動作周波数に対応する、
ことを特徴とする請求項２９に記載のシステム。
【請求項３７】
複数の位相を含むターゲット変圧器の診断を実行するための少なくとも１つのコードセクションを含むコンピュータプログラムを格納させた非一時的マシン可読ストレージ媒体であって、前記少なくとも１つのコードセクションが、マシンによって実行可能であり、
前記ターゲット変圧器の前記複数の位相の各々に電源を結合するようスイッチ回路を制御する段階と、
前記位相の各々において、
第１周波数で電圧を出力するよう前記電源を制御する段階と、
前記第１周波数に関連する前記ターゲット変圧器内に流入する、誘導分及び容量分を有する第１励磁電流の振幅及び位相角を測定する段階と、
第２周波数で電圧を出力するよう前記電源を制御する段階と、
前記第２周波数に関連する前記ターゲット変圧器内に流入する、誘導分及び容量分を有する第２励磁電流の振幅及び位相角を測定する段階と、
前記第１周波数及び前記第２周波数の励磁電流に応じて、前記ターゲット変圧器の正常動作周波数での前記ターゲット変圧器の誘導分の振幅及び容量分の振幅を決定し、これにより前記ターゲット変圧器の励磁電流の誘導分及び容量分の振幅パターンを決定する段階と、
前記ターゲット変圧器の前記決定されたパターンを、既知の電気特性を有する１又は２以上のベンチマーク変圧器に関連するパターンと比較する段階と、
前記ターゲット変圧器に関連する前記パターンが、前記ベンチマーク変圧器のうちの１つのベンチマーク変圧器のパターンに一致するときには、前記ターゲット変圧器の電気特性が前記１つのベンチマーク変圧器の電気特性に一致すると決定する段階と、
を含み、前記既知の電気特性を有する前記１又は２以上のベンチマーク変圧器のパターンに対する前記ターゲット変圧器のパターンの比較により、前記ターゲット変圧器に欠陥があるかどうかの決定が可能となる、動作を前記マシンに実行させる非一時的マシン可読ストレージ媒体。
【請求項３８】
前記第１及び第２周波数は、前記ターゲット変圧器の正常動作周波数の約±２０％、±１０％、又は±５％に対応する、
ことを特徴とする請求項３７に記載の非一時的マシン可読ストレージ媒体。
【請求項３９】
前記１又は２以上のベンチマーク変圧器は、正常に機能する変圧器及び１又は２以上の不具合を示す変圧器を含む、
ことを特徴とする請求項３７に記載の非一時的マシン可読ストレージ媒体。
【請求項４０】
前記正常動作周波数は、居住用又は商業用ユーザに電力を送給する高電圧変圧器の正常動作周波数に対応する、
ことを特徴とする請求項３７に記載の非一時的マシン可読ストレージ媒体。
【請求項４１】
診断装置のプロセッサによって、第１周波数でターゲット変圧器に電圧を出力するよう電源を制御する段階と、
前記第１周波数の前記電圧に対して前記ターゲット変圧器の第１励磁電流の振幅及び位相角を測定する段階と、
前記診断装置のプロセッサによって、前記第１周波数よりも大きい又は小さい第２周波数で前記ターゲット変圧器に電圧を出力するよう前記電源を制御する段階と、
前記第２周波数の前記電圧に対して前記ターゲット変圧器の第２励磁電流の振幅及び位相角を測定する段階と、
前記第１励磁電流及び前記第２励磁電流の前記振幅及び位相角に応じて、前記ターゲット変圧器の誘導分、容量分、又はその両方を決定する段階と、
前記診断装置のプロセッサによって、前記ターゲット変圧器の誘導分、容量分、又はその両方によって形成されるパターンを決定する段階と、
前記診断装置のプロセッサによって、前記誘導分、前記容量分、又はその両方によって形成されるパターンと、前記ターゲット変圧器、ベンチマーク変圧器、又はその両方について予め決定された別のパターンとを比較する段階と、
前記診断装置のプロセッサによって、前記ターゲット変圧器の診断分析を出力する段階と、
を含む、方法。
【請求項４２】
前記第１周波数及び前記第２周波数が、前記ターゲット変圧器の正常動作周波数とは異なる、請求項４１に記載の方法。
【請求項４３】
前記第１周波数の電圧と前記第２周波数の電圧が等しい、請求項４１に記載の方法。
【請求項４４】
前記診断装置のプロセッサによって前記パターンを決定する段階が更に、前記誘導分、前記容量分、又はその両方に異なる重みを付ける段階を含む、請求項４１に記載の方法。
【請求項４５】
前記診断装置のプロセッサによって前記パターンを決定する段階が、前記診断装置のプロセッサによって前記ベンチマーク変圧器を識別する段階を含み、前記ベンチマーク変圧器は、前記ターゲット変圧器の決定されたパターンを前記ベンチマーク変圧器に関連するパターンに一致させることによって識別される、請求項４１に記載の方法。
【請求項４６】
前記ベンチマーク変圧器が、前記ターゲット変圧器の動作特性の診断を示す予め決定された電気特性を有する、請求項４５に記載の方法。
【請求項４７】
前記ベンチマーク変圧器に関連する前記パターンは、前記ベンチマーク変圧器の誘導分、容量分、又はその両方の複数の振幅によって形成される、請求項４５に記載の方法。
【請求項４８】
前記ターゲット変圧器が三相変圧器である、請求項４１に記載の方法。
【請求項４９】
前記ターゲット変圧器は、負荷時タップ切換装置（ＬＴＣ）又は非通電タップ切換装置（ＤＥＴＣ）を含み、前記ターゲット変圧器のパターンは、前記ＬＴＣ又はＤＥＴＣの各位置に対して決定される、請求項４１に記載の方法。
【請求項５０】
ターゲット変圧器の診断を実行するためのシステムであって、
電源から電圧を受け取るように構成された入力と、
前記ターゲット変圧器の複数の位相の各々に前記電圧を選択的に印加するように構成されたスイッチ回路と、
前記ターゲット変圧器の位相の各々において流れる電流を検知するように構成された電流センサと、
前記電源、前記スイッチ回路、及び前記電流センサと通信するプロセッサと、
前記プロセッサと通信し、前記プロセッサによって実行可能な命令コードを格納する非一時的コンピュータ可読媒体と、
を備え、
前記命令コードが、
前記ターゲット変圧器の位相の各々に前記電圧を印加するよう前記スイッチ回路を制御するよう前記プロセッサによって実行可能な命令と、
前記位相の各々において、
第１周波数及び第２周波数で電圧を出力するよう前記電源を制御するよう前記プロセッサによって実行可能な命令と、
前記電流センサを介して、前記第１周波数で前記ターゲット変圧器の第１励磁電流の振幅及び位相角と前記第２周波数で前記ターゲット変圧器の第２励磁電流の振幅及び位相角を測定するよう前記プロセッサによって実行可能な命令と、
前記第１励磁電流及び第２励磁電流に基づいて、前記ターゲット変圧器の複数の位相の各々について誘導分、容量分、又はその両方を決定するよう前記プロセッサによって実行可能な命令と、
誘導分、容量分、又はその両方のパターンを決定するよう前記プロセッサによって実行可能な命令と、
前記パターンと、前記ターゲット変圧器、ベンチマーク変圧器、又はその両方について予め決定された別のパターンとを比較するよう前記プロセッサによって実行可能な命令と、
前記ターゲット変圧器の診断分析を出力するよう前記プロセッサによって実行可能な命令と、
を含む、
ことを特徴とするシステム。
【請求項５１】
前記ターゲット変圧器は、負荷時タップ切換装置（ＬＴＣ）又は非通電タップ切換装置（ＤＥＴＣ）を含み、
前記プロセッサによって実行可能な命令は、負荷時タップ切換装置（ＬＴＣ）又は非通電タップ切換装置（ＤＥＴＣ）を１つのタップから別のタップに変更するよう前記プロセッサによって実行可能な命令を含み、誘導分、容量分、又はその両方のパターンを決定する前記命令が更に、複数のタップの各々について前記位相のパターンを決定する命令を含む、請求項５０に記載のシステム。
【請求項５２】
前記別のパターンは、前記ターゲット変圧器の前記複数の位相についての誘導分、容量分、又はその両方を含む格納された記録である、請求項５１に記載のシステム。
【請求項５３】
前記別のパターンは、前記ベンチマーク変圧器の前記複数の位相についての誘導分、容量分、又はその両方を含む格納された記録である、請求項５１に記載のシステム。
【請求項５４】
前記第１周波数の電圧と前記第２周波数の電圧が等しい、請求項５０に記載のシステム。
【請求項５５】
前記第１周波数の電圧が、前記ターゲット変圧器の正常動作周波数よりも高く、前記第２周波数が、前記ターゲット変圧器の正常動作周波数よりも低い、請求項５０に記載のシステム。
【請求項５６】
誘導分、容量分、又はその両方のパターンを決定するよう前記プロセッサによって実行可能な命令が、前記複数の位相について誘導分、容量分、又はその両方のパターンを決定するよう前記プロセッサによって実行可能な命令を含む、請求項５０に記載のシステム。
【請求項５７】
ターゲット変圧器の診断を実行するための命令を含むコンピュータプログラムを格納させた非一時的マシン可読ストレージ媒体であって、
第１周波数で前記ターゲット変圧器に電圧を出力するよう電源を制御する命令と、
前記第１周波数の前記電圧に対して前記ターゲット変圧器の第１励磁電流の振幅及び位相角の測定値を受け取る命令と、
前記第１周波数よりも高いか又は低い第２周波数で前記ターゲット変圧器に電圧を出力するよう電源を制御する命令と、
前記第２周波数の前記電圧に対して前記ターゲット変圧器の第２励磁電流の振幅及び位相角の測定値を受け取る命令と、
前記第１励磁電流及び前記第２励磁電流の前記振幅及び位相角に応じて、前記ターゲット変圧器の誘導分、容量分、又はその両方を決定する命令と、
前記誘導分、容量分、又はその両方によって形成された前記ターゲット変圧器のパターンを決定する命令と、
前記誘導分、前記容量分、又はその両方によって形成されるパターンと、前記ターゲット変圧器、ベンチマーク変圧器、又はその両方について予め決定された別のパターンとを比較する命令と、
前記ターゲット変圧器の診断分析を出力する命令と、
を含む、非一時的マシン可読ストレージ媒体。
【請求項５８】
前記パターンを決定する命令が更に、前記第１励磁電流、前記第２励磁電流、又はその両方の誘導分、容量分、又はその両方に対して異なる重みを付ける命令を含む、請求項５７に記載の非一時的マシン可読ストレージ媒体。
【請求項５９】
前記パターンを比較する命令が、前記ターゲット変圧器の前記決定されたパターンと前記ベンチマーク変圧器に関連する前記別のパターンとの比較によって前記ベンチマーク変圧器を識別するようデータベースを検索する命令を含む、請求項５７に記載の非一時的マシン可読ストレージ媒体。
【請求項６０】
前記パターンを比較する命令が、前記ターゲット変圧器の予め決定された別のパターンとして前記別のパターンを識別するようデータベースを検索する命令を含む、請求項５７に記載の非一時的マシン可読ストレージ媒体。